(57)【要約】      （修正有）【課題】小便時に股引きを脱がなくてもよく、しかも着用者が股割などをするときにも、脚を無理なく大きく開くことができるようにし、さらに、大きく脚を開いた時にあっても、お尻が見えることを防ぐことができる祭り用の衣裳の提供。【解決手段】左右の脚部１１と、腹部２１と、臀部とを備え、腹部２１は右脚部１１ｂと左脚部１１ａとの双方の前部上方から延設されたものであり、この腹部２１は、その左半分の左腹部２１ａと右半分の右腹部２１ｂとが連続しているものである。腹部２１の略中央に小便用開口部２２を備える。臀部は、左臀部と右臀部とを備え、この左臀部と右臀部とは互いにつながっておらず、着用に際して、左臀部と右臀部とを重ね合わせて、着用する。【選択図】図１
0003132832.tif 000002
【実用新案登録請求の範囲】
【請求項１】
着用時に着用者の脚を覆う筒状の左右の脚部と、脚部の上部前方側に配位され着用者の腹を覆う腹部と、脚部の上部前方側に配位され着用者の尻を覆う臀部とを備えた祭り用衣裳において、
腹部は、右脚部と左脚部との双方の前部上方から延設されたものであり、
この腹部は、その左半分の左腹部と右半分の右腹部とが連続しているものであり、且つ、左右の腹部の略中央に小便用開口部を備え、
臀部は、左脚部の後部上方から延設された左臀部と、右脚部の後部上方から延設された右臀部とを備え、
この左臀部と右臀部とは互いにつながっておらず、
左臀部は着用者の左臀部を覆うと共に右臀部の一部を覆うものであり、
右臀部は着用者の右臀部を覆うと共に左臀部の一部を覆うものであり、
着用に際して、左臀部と右臀部とを重ね合わせて、着用することを特徴とする祭り用衣裳。
【請求項２】
左脚部と左腹部と左臀部とからなる衣裳の左半分が、右脚部と右腹部と右臀部とからなる衣裳の左半分に対して、小便用開口部を含む腹部の略中央においてのみ、つながっており、股下部と臀部とにおいてはつながっていないことを特徴とする請求項１記載の祭り用衣裳。
【請求項３】
左右の臀部のうち、着用時に表側に配位される臀部の側辺の股上寸法が、その内側に配位される臀部の股上寸法よりも短いことを特徴とする請求項１又は２記載の祭り用衣裳。
【考案の詳細な説明】
【技術分野】
【０００１】
本願考案は、祭り用衣裳、特に詳しくは、大阪府下を中心とする近畿地方にて行われるだんじり祭りなどの祭りの際に、下半身に着用されるに股引き型の衣裳に関するものである。
【背景技術】
【０００２】
従来より、この種の衣裳即ち、股引きにあっては、特許文献１の図７及び図８に示されるように、脚部の上端を一枚の腰布に連続させて、腰布を着用者の腹部及び臀部に巻き付けるようにして着用する伝統的股引が古くから用いられていたが、股引きを脱がなければ小便ができないという欠点があると言われていた。
【０００３】
これに対して、特許文献２の股引きは、全体をズボン型にし、前の小便用開口部をスライドファスナとすると共に、臀部についても通常のズボンと同様とした。ただ、臀部については、重なり布を縫い付けて、外観上のみは、あたかも従来の股引き着用しているかのよに見せるものである。
【０００４】
特許文献１の提案に係る股引き（同文献の図１〜図６参照）にあっても、特許文献２と全く同じであり、全体をズボン型にして、前の小便用開口部をスライドファスナとして、そのまま着用できるようにしたものである。
【０００５】
ところが、これら特許文献１及び２に係るズボン型股引きは、名前だけが股引きであるに止まり、その実体はズボンそのものであり、西洋のズボンを履いて日本の祭りを行うものであった。また、技術的見地からしても、西洋のズボンにおける長所短所をそのまま備えたものであり、伸縮性に大きな難点を備えていた。即ち、ズボン型股引きにあっては、臀部が左右に別れていないものであるため、伸縮不能な構造をなしていた。岸和田のだんじり祭りにあっては、だんじり屋根に登った人が大きな身振りで祭りの踊りを披露するが、その際、開脚屈伸のように大きく股を割る動作が数多く行われる。ところが、この動きに対して、伸縮できない構造のズボン型股引きでは、生地が体に引っ掛かってスムーズに股割りを行うことができなかった。
【０００６】
【特許文献１】特許第３５８２３０８４号公報
【特許文献２】意匠登録第１１６０７７１号公報
【考案の開示】
【考案が解決しようとする課題】
【０００７】
本願考案は、小便時に股引きを脱がなくてもよく、しかも着用者が股割などをするときにも、脚を無理なく大きく開くことができるようにした祭り用の衣裳を提供することを目的とする。
本願考案の他の目的は、股割などで大きく脚を開いた時にあっても、お尻が見えることを防ぐことができる祭り用の衣裳を提供することにある。
【課題を解決するための手段】
【０００８】
本願の請求項１に係る考案は、着用時に着用者の脚を覆う筒状の左右の脚部と、脚部の上部前方側に配位され着用者の腹を覆う腹部と、脚部の上部前方側に配位され着用者の尻を覆う臀部とを備えた祭り用衣裳において、腹部は、右脚部と左脚部との双方の前部上方から延設されたものであり、この腹部は、その左半分の左腹部と右半分の右腹部とが連続しているものであり、且つ、左右の腹部の略中央に小便用開口部を備え、臀部は、左脚部の後部上方から延設された左臀部と、右脚部の後部上方から延設された右臀部とを備え、この左臀部と右臀部とは互いにつながっておらず、左臀部は着用者の左臀部を覆うと共に右臀部の一部を覆うものであり、右臀部は着用者の右臀部を覆うと共に左臀部の一部を覆うものであり、着用に際して、左臀部と右臀部とを重ね合わせて、着用することを特徴とする祭り用衣裳を提供する。
本願の請求項２に係る考案は、左脚部と左腹部と左臀部とからなる衣裳の左半分が、右脚部と右腹部と右臀部とからなる衣裳の左半分に対して、小便用開口部を含む腹部の略中央においてのみ、つながっており、股下部と臀部とにおいてはつながっていないことを特徴とする請求項１記載の祭り用衣裳を提供する。
本願の請求項３に係る考案は、左右の臀部のうち、着用時に表側に配位される臀部の側辺の股上寸法が、その内側に配位される臀部の股上寸法よりも短いことを特徴とする請求項１又は２記載の祭り用衣裳を提供する。
【考案の効果】
【０００９】
本願考案は、左脚部と左腹部と左臀部とからなる衣裳の左半分が、右脚部と右腹部と右臀部とからなる衣裳の左半分に対して、小便用開口部を含む腹部の略中央においてのみ、つながっており、股下部と臀部とにおいてはつながっていないものであるため、小便時に股引きを脱がなくてもよく、しかも着用者が股割などをするときにも、脚を無理なく大きく開くことができるものである。
また、左右の臀部のうち、着用時に表側に配位される臀部の側辺の股上寸法が、その内側に配位される臀部の股上寸法よりも短くすることによって、股割などで大きく脚を開いた時にあっても、表側の生地がさほど垂れ下がらないため、お尻が見えることを防ぐことができる。
【考案を実施するための最良の形態】
【００１０】
以下、図面に基づき本願考案の実施の形態を説明する。
図１は本願考案の実施の形態に係る祭り用衣裳の正面図であり、図２は同背面図であり、図３は同展開状態の正面図であり、図４は同展開状態の背面図である。
【００１１】
この股引きは、着用時に着用者の脚を覆う筒状の左脚部１１ａ及び右脚部１１ｂと、これらの脚部１１ｃの上部前方側に配位され着用者の腹を覆う腹部２１ｃと、脚部１１ｃの上部前方側に配位され着用者の尻を覆う臀部３１ｃとを備えた祭り用衣裳である。この衣裳は、木綿などの布帛によって製造され得るが、特に、伸縮性の高いポリウレタンなどの伸縮性の高い糸を木綿糸と併用したストレッチ性の高い布帛を用いることが望ましい。なお、以下の説明では、左右についての説明は着用者を中心に左右を設定して説明する。
【００１２】
脚部１１ｃは、左脚部１１ａと右脚部１１ｂとが左右対象に配位されたもので、以下の説明では、特に左右を区別する必要がある場合を除き、左右の別なく説明する。この例では、脚部１１ｃの下端には足首１２から切り込みを入れて、スライドファスナや起毛面ファスナによって開閉可能としている。特に、起毛面ファスナを用いることによって、足首回りの寸法を調整することができて有利である。この脚部１１ｃは、１枚の生地を筒状に裁断縫製したものでもよく、２枚の略同形状の生地を左右で縫製して筒状にしたものであってもよいが、この例では、一枚の略長方形状の主生地１３の後部に上下に長細い略三角形の副生地１４を縫製して、上方に向かうに従って筒が太くなるようにして太股の太さに対応している。
【００１３】
腹部２１ｃは、左腹部２１ａと右腹部２１ｂとが左右対象に連続して配位されたもので、以下の説明では、特に左右を区別する必要がある場合を除き、左右の別なく説明する。この腹部２１ｃは脚部１１ｃの前部上方から延設されたものであり、生地としては、脚部１１ｃの主生地１３の前身頃をそのまま上方に伸ばして下腹部を覆うものとしている。
この腹部２１ｃは、その左半分の左腹部２１ａと右半分の右腹部２１ｂとの間である、腹部の略中央に小便用開口部２２を備える。この小便用開口部２２は、左脚部１１ａの主生地１３と、右脚部１１ｂの主生地１３との間を開閉手段２３（この例ではスライドファスナ）によって開閉可能につなげたものであるが、スライドファスナに代えて、起毛面ファスナやホックなどの他の開閉手段に変更することもできる。この開閉手段２３の表面側は前覆い部２４によって覆われている。
【００１４】
腹部２１ｃの上方には腰布部４１が設けられている。この腰布部４１は、着用者の腰部に巻かれるもので、着用者の腰回りを少なくとも１周、望ましくは約２周する長さを備え、腹部２１ｃの上端辺と腰布部４１の左右方向の中央の下端辺とが縫着により固定されている。
【００１５】
臀部３１ｃは、左脚部１１ａの後部上方から延設された左臀部３１ａと、右脚部１１ｂの後部上方から延設された右臀部３１ｂとを備える。この左臀部３１ａと右臀部３１ｂとは、着用者の股下に位置する股下部分でつながっているものの、上方においては、互いにつながっていない。
詳しくは、図５（Ａ）に示すように、左臀部３１ａは、左覆い布３２ａによって構成されている。この左覆い布３２ａは、腹部２１ｃの中央に配位される左中央腹部分３３ａ、股下部に配位される左股下部分３４ａ、臀部に配位される左臀部分３５ａとを備える。さらにこの左臀部分３５ａは、着用者の左臀部を覆う左臀部分の左部分３６ａと、着用者の右臀部の一部を覆う左臀部分の右部分３６ｂとを備える。
また、右臀部３１ｂは、右覆い布３２ｂによって構成されている。この右覆い布３２ｂは、腹部２１ｃの中央に配位される右中央腹部分３３ｂ、股下部に配位される右股下部分右股下部分３４ｂ、臀部に配位される右臀部分３５ｂとを備える。さらにこの右臀部分３５ｂは、着用者の右臀部を覆う右部分右臀部分の右部分３７ｂと左臀部の一部を覆う左部分右臀部分の左部分３７ａとを備える。
この図５（Ａ）は、この衣裳を構成する左パーツ（左脚部１１ａ及び左覆い布３２ａ）と、右パーツ（右脚部１１ｂ及び右覆い布３２ｂ）を別々に描いた平面図であり、図中のＣが左右の中央線を示し、この左右のパーツを中央線Ｃで合わせた状態の平面図が図５（Ｂ）である。この図５（Ｂ）においては、左右のパーツを異なる方向の斜線で示しており、両方の斜線が重なる部分が、左右パーツの生地が重なっている部分である。
【００１６】
さらに、この例では、股下部分３４ｃは股下から正面上方にも伸ばされて中央腹部分３３ｃを構成する。具体的には、左股下部分３４ａは、股下から正面上方に伸びる左中央腹部分３３ａとなり、この左中央腹部分３３ａは小便用開口部２２を上（表面側）から覆うこととなる。右股下部分３４ｂも、股下から正面上方に伸びる右中央腹部分３３ｂとなり、この右中央腹部分３３ｂは上記の左中央腹部分３３ａの内面側に沿わされてこれと縫製される。この縫着される部分を、中央縫着部Ｈという。
【００１７】
この正面側（腹部）の布使いについては種々変更し得るが、重要なことは、股下から臀部にかけては、左右の生地同士が縫着されていないということである。左股下部分３４ａと右股下部分３４ｂとはどちらかを外側（この例では左股下部分３４ａを外側）にして、重ねられている。この股下における縫合部位と非縫合部位との境界ｘをどの位置にするかは、股の開き易さと露出の程度の関係で適宜変更することができるが、小便用開口部２２の下端から尾てい骨付近までの範囲（小便用開口部２２から約２０cmの範囲）とすることが適当である。よってこの境界ｘから臀部の上端までの間は、左股下部分３４ａと右股下部分３４ｂとが重なり、左臀部分の左部分３６ａと右臀部分の左部分３７ａとが重なり、左臀部分の右部分３６ｂと右臀部分の右部分３７ｂとが重なりあう状態となるが、これらの左右の生地は互いに縫着されずに、左右が別々に動く状態となる。その結果、大きく股を割ってしゃがむ動作や屈伸など、左右の脚の動きにも対応することができ、先行技術文献のような、脚の動きを大きく制約するということがない。と同時に、腹部２１ｃは左右が分離しておらず、小便用開口部２２も設けられているため、祭り行事の近代化にも役立つものである。また、これに加えて、綿糸に加えて合成繊維糸を用いた伸縮性の高い生地を用いることによって、人の脚の動作により対応し易いものとすることが望ましい。
【００１８】
ここで、臀部において外側に重ねられる布地の端辺ｙ１は、この端辺の内側にくる布地ｙ２よりも短く設定されている。具体的には、左臀部分の右部分３６ｂと右臀部分の右部分３７ｂとの上下長さは、外側にくる布地（この例では左臀部分の右部分３６ｂ）の方が短く設定されている。言い換えれば、着用時に表側に配位される臀部の側辺の股上寸法が、その内側に配位される臀部の股上寸法よりも短くなっている。これにより、通常の立っている姿勢では、内側の生地である右臀部分の右部分３７ｂは通常の状態であるが、外側の生地である左臀部分の右部分３６ｂが引っ張り気味とされている。そして、この状態からしゃがんだ姿勢をとると、内側の生地（右臀部分の右部分３７ｂ）が緩んだ状態となるが、引っ張り気味の外側の生地（左臀部分の右部分３６ｂ）が通常の緊張感をもった状態となる。その結果、伝統的な股引きのように、外側の生地が垂れ下がって見苦しいという事がなくなったものである。この生地の長さの差は、外側が内側よりも短ければ足りるが、２〜５cm程度短くしておくことが望ましい。
【００１９】
図３、図４及び図６に基づき腰布部４１についてさらに説明しておくと、腰布部４１は内側にくる生地（この例では右臀部分の左部分３７ａ）の端辺上方を始端とし、腹部２１ｃから外側にくる生地（この例では左臀部分の右部分３６ｂ）に達し、さらに約半周程度の長さの延設部分４２が伸ばされている。また、始端からは、半周程度の長さの補助片４３が延設されている。この腰布部４１には、内側にくる生地（この例では右臀部分の左部分３７ａ）の外側に重なる部分に、通し孔４４が形成されている。この通し孔４４には、補助片４３が挿入され、挿入された補助片４３はその先端の内側に設けられた面ファスナ４５が腰布部４１の外側に設けられた面ファスナ４６に着脱自在に係合する。また、延設部分４２の先端の内側にも面ファスナ４７が設けられ、これは、腰布部４１の外側に設けられたもう一つの面ファスナ４６に着脱自在に係合する。この例では、腰布部４１と延設部分４２とは略同じ上下幅を有する帯状をなし、補助片４３はこれより上下幅の小さな紐状をなすが、この幅や長さは、外側にくる生地（この例では左臀部分の右部分３６ｂ）の上部から、内側にくる生地（この例では右臀部分の左部分３７ａ）の上部までの範囲を、胴体に巻き付けることができるものであれば適宜変更できる。例えば、外側にくる生地（この例では左臀部分の右部分３６ｂ）の上部から内側にくる生地（この例では右臀部分の左部分３７ａ）の上部の範囲内において腰布部４１を設けて、その両端又は一方の端から紐状体を延設して、紐状体を括って胴回りに固定することもできるなど、本願考案は適宜変更して実施することができるものである。
【図面の簡単な説明】
【００２０】
【図１】本願考案の実施の形態に係る祭り用衣裳の正面図である。
【図２】同背面図である。
【図３】同展開状態の正面図である。
【図４】同展開状態の背面図である。
【図５】（Ａ）は、同左右を分解した状態の平面図であり、（Ｂ）は左右を合わせた平面図である。
【図６】（Ａ）は同腰帯部の表面図であり、（Ｂ）は同裏面図である。
【符号の説明】
【００２１】
１１    脚部
１２    足首
１３    主生地
１４    副生地
２１    腹部
２２    小便用開口部
２３    開閉手段
２４    前覆い部
３１    臀部
３２    覆い布
３３    中央腹部分
３４    股下部分
３５    臀部分
３６ａ  左臀部分の左部分
３６ｂ  左臀部分の右部分
３７ａ  右臀部分の左部分
３７ｂ  右臀部分の右部分
４１    腰布部
４２    延設部分
４３    補助片
４４    通し孔
４５    面ファスナ
４６    面ファスナ
４７    面ファスナ
４８    面ファスナ
【図１】
0003132832.tif 000003
【図２】
0003132832.tif 000004
【図３】
0003132832.tif 000005
【図４】
0003132832.tif 000006
【図５】
0003132832.tif 000007
【図６】
0003132832.tif 000008